(57)【要約】【課題】  ２つのレールの間のロック関係を解除するためにユーザーに操作される操作部材を含むスライドレールアセンブリを提供すること。【解決手段】  スライドレールアセンブリは第１のレール、第２のレール、第３のレール、ロック部材及び操作部材を含む。第２のレールは第１のレールに対して第１の位置と第２の位置との間で可動である。第３のレールは第２のレールに対して可動である。ロック部材は第２のレールに取り付けられる。第２のレールが第２の位置に位置している場合、ロック部材は第２のレールが第１のレールに対して第２の位置から第１の位置の方に動かすことができないように第１のレールの一部をロックするように構成されている。操作部材は、第１のレールの前記一部をロック部材からロック解除するためにユーザーにより操作されるように構成されている。【選択図】  図２
2018015525.tif 000002
【特許請求の範囲】
【請求項１】
第１のレールと、
前記第１のレールに対して第１の位置と第２の位置との間で可動な第２のレールと、
前記第２のレールに対して可動な第３のレールと、
第１の状態又は第２の状態になるように構成されたロック機構であって、該ロック機構が第１の状態にある場合、該ロック機構は、前記第２のレールが前記第１のレールに対して第２の位置から第１の位置の方に動くのを防止するように構成されている、ロック機構と、
前記第２のレールを前記第１のレールに対して前記第２の位置から前記第１の位置の方に動かすことができるようにするために、前記ロック機構を第１の状態から第２の状態に切り替えるため手動で操作されるように構成された操作部材と、
を含むスライドレールアセンブリ。
【請求項２】
前記ロック機構は前記第２のレールに可動に取り付けられるロック部材と、該ロック部材に弾性力を提供するように構成された弾性部材とを含む、請求項１に記載のスライドレールアセンブリ。
【請求項３】
前記ロック部材を前記第２のレールに枢結するよう構成された枢動部材をさらに含み、前記第１のレールはブロック機構を含み、前記ロック部材が第１の状態にある場合、前記ロック部材は前記ブロック機構をロックするように構成されている、請求項２に記載のスライドレールアセンブリ。
【請求項４】
前記操作部材は前記第２のレールに可動に取り付けられている、請求項１に記載のスライドレールアセンブリ。
【請求項５】
前記第２のレールは第１の側と、該第１の側の反対側の第２の側を有し、前記操作部材は前記第２のレールの第１の側に位置する、請求項４に記載のスライドレールアセンブリ。
【請求項６】
前記第２のレールは伸長孔をさらに有し、前記操作部材は該伸長孔を貫通するとともに前記第２のレールの第２の側に位置する補助機構を含み、該補助機構は、前記操作部材が手動で操作されることに反応して前記ロック機構を駆動し第１の状態から第２の状態に切り替えるように構成されている、請求項５に記載のスライドレールアセンブリ。
【請求項７】
前記操作部材は細長い孔を有し、前記スライドレールアセンブリは支持部材をさらに含み、該支持部材は、前記操作部材を前記第２のレールに取り付けるために前記細長い孔の一部を貫通する、請求項４に記載のスライドレールアセンブリ。
【請求項８】
前記第２のレールは当接機構を含み、前記スライドレールアセンブリは解除機構をさらに含み、該解除機構は前記第３のレールに配置されるリンク部材を含み、該リンク部材が第１のリンク状態にある場合、該リンク部材は前記当接機構に対応する場所に位置し、前記リンク部材が第２のリンク状態にある場合、該リンク部材は前記当接機構に対応しない場所に位置する、請求項１に記載のスライドレールアセンブリ。
【請求項９】
前記解除機構は前記リンク部材に作動的に連結される解除部材をさらに含み、前記リンク部材は前記解除部材の操作に反応して第１のリンク状態から第２のリンク状態に切り替わるように構成されている、請求項８に記載のスライドレールアセンブリ。
【請求項１０】
第１のレールと、
前記第１のレールに対して引っ込め位置と伸長位置との間で可動な第２のレールと、
前記第２のレールに対して可動な第３のレールと、
前記第２のレールに取り付けられるロック部材であって、該ロック部材は、前記第２のレールが伸長位置に位置している場合に、前記第２のレールが前記第１のレールに対して伸長位置から引っ込め位置の方に動くことができないように前記第１のレールの一部をロックするように構成されている、ロック部材と、
前記第１のレールの前記一部を前記ロック部材からロック解除するために手動で操作されるように構成された操作部材と、
を含むスライドレールアセンブリ。
【請求項１１】
弾性部材をさらに含み、前記ロック部材は該弾性部材の弾性力に反応して前記第１のレールの前記一部をロックするよう保持される、請求項１０に記載のスライドレールアセンブリ。
【請求項１２】
前記第２のレールは第１の側と該第１の側の反対側の第２の側とを有し、該第１の側は前記第１のレールの方を向き、該第２の側は前記第３のレールの側を向き、前記操作部材は前記第２のレールの第１の側に位置している、請求項１１に記載のスライドレールアセンブリ。
【請求項１３】
前記第２のレールは伸長孔をさらに有し、前記操作部材は該伸長孔を貫通するとともに前記第２のレールの第２の側に位置する補助機構を含み、該補助機構は、前記第１のレールの前記一部を前記ロック部材からロック解除するために、前記操作部材が手動で操作されることに反応して前記ロック部材を駆動するように構成されている、請求項１２に記載のスライドレールアセンブリ。
【請求項１４】
前記操作部材は前記第２のレールに可動に取り付けられている、請求項１０に記載のスライドレールアセンブリ。
【請求項１５】
前記操作部材は細長い孔を有し、前記スライドレールアセンブリは支持部材をさらに含み、該支持部材は、前記操作部材を前記第２のレールに取り付けるために前記細長い孔の一部を貫通する、請求項１４に記載のスライドレールアセンブリ。
【請求項１６】
保持物体をラックに取り付けるように構成されたスライドレールアセンブリであって、当該スライドレールアセンブリは、
第１のブラケット及び第２のブラケットを通じて前記ラックに取り付けられる第１のレールと、
前記第１のレールに対して引っ込め位置と伸長位置との間で可動な第２のレールと、
前記第２のレールに対して可動であり、前記保持物体が取り付けられるように構成された第３のレールと、
前記第２のレールに取り付けられるロック部材であって、該ロック部材は、前記第２のレールが伸長位置に位置している場合に、前記第２のレールが前記第１のレールに対して伸長位置から引っ込め位置の方に動くことができないように前記第１のレールの一部をロックするように構成されている、ロック部材と、
前記第１のレールの前記一部を前記ロック部材からロック解除するために手動で操作されるように構成された操作部材と、
を含むスライドレールアセンブリ。
【請求項１７】
弾性部材をさらに含み、前記ロック部材は該弾性部材の弾性力に反応して前記第１のレールの前記一部をロックするよう保持される、請求項１６に記載のスライドレールアセンブリ。
【請求項１８】
前記第２のレールは第１の側と該第１の側の反対側の第２の側とを有し、該第１の側は前記第１のレールの方を向き、該第２の側は前記第３のレールの側を向き、前記操作部材は前記第２のレールの第１の側に位置している、請求項１６に記載のスライドレールアセンブリ。
【請求項１９】
前記第２のレールは当接機構を含み、前記スライドレールアセンブリは解除機構をさらに含み、該解除機構は前記第３のレールに配置されるリンク部材を含み、前記第３のレールが前記第２のレールに対して所定の伸長位置に動かされた場合、該リンク部材は第１のリンク状態にあるとともに前記当接機構に対応する場所に位置する、請求項１６に記載のスライドレールアセンブリ。
【請求項２０】
前記解除機構は前記リンク部材に作動的に連結される解除部材をさらに含み、前記リンク部材は、該解除部材の操作に反応して、前記当接機構に対応しない場所に前記リンク部材が位置するように第１のリンク状態から第２のリンク状態に切り替わるように構成されている、請求項１９に記載のスライドレールアセンブリ。
【発明の詳細な説明】
【技術分野】
【０００１】
本発明はスライドレールアセンブリに関し、より具体的には操作部材を操作することを通じて２つのレールの間のロック関係を解除できるスライドレールアセンブリに関する。
【背景技術】
【０００２】
一般に、スライドレールアセンブリは通例少なくとも２つのレールを含む。スライドレールアセンブリを伸長された状態又は引っ込められた状態するために、係るレールはお互いに対して動かすことができる。
【０００３】
特許文献１にはスライドアセンブリが開示されている。係るスライドアセンブリは第１のスライド（１０）と、第２のスライド（２０）と、第３のスライド（３０）とを含む。第１のスライド（１０）は停止部（１４）及びブロック部（１６）を含む。第２のスライドは停止部材（２８）と、止めピン（４０）を可動に受容するためのスロット（２６）とを有する。第１、第２及び第３のスライドが完全な伸長状態にある場合、止めピン（４０）及び停止部材（２８）はそれぞれ第１のスライドの停止部（１４）及びブロック部（１６）によって抵抗されるため、第１のスライドと第２のスライドとの間の摺動動作が制限される。第３のスライド（３０）が完全な伸長状態から半伸長状態になるように引っ込め方向に沿って引っ込められると、第３のスライド（３０）の解除部材（５０）によって止めピン（４０）が持ち上げられて停止部（１４）から外れ、それにより第２のスライド（２０）を第１のスライド（１０）内に引っ込めることができる。
【０００４】
特許文献２にはスライドアセンブリが開示されている。係るスライドアセンブリは第１のレール（１０）と、第２のレール（２０）と、第３のレール（３０）とを含む。第１のレール（１０）は位置決め部（１６）を含み、他方で第２のレール（２０）に位置決め装置（５０）が配置されている。位置決め装置（５０）は位置決め部材（５２）と、位置決め部材（５２）に枢結された係合部材（６８）とを含む。特許文献２の図６、図７及び図８に示すように、第２のレール（２０）が第１のレール（１０）に対して伸長方向に沿って引っ張り出された場合、係合部材（６８）の係合部（７４）は、第１のレール（１０）に対して第２のレール（２０）を引っ込め方向に沿って動かすことができないように第１のレール（１０）の位置決め部（１６）の停止端（１８）に位置し該停止端に引っ掛かる。そのような状態では、第３のレール（３０）は伸長状態になるように第２のレール（２０）に対して伸長方向に沿って引っ張り出すことができる。特許文献２の図９に示すように、第３のレール（３０）が第２のレール（２０）に対して引っ込め方向に沿って引っ込められると、第３のレール（３０）の側壁（３４）が係合部材（６８）の伸長ウィング部（７６）を可動に押圧するため、係合部材（６８）が偏向されて係合部（７４）を第１のレール（１０）の位置決め部（１６）の停止端（１８）から取り外すことができる。そのため、第２のレール（２０）を引っ込め方向に沿って第１のレール（１０）に対して引っ込めることができる。
【先行技術文献】
【特許文献】
【０００５】
【特許文献１】米国特許第７６７７６７９号明細書
【特許文献２】米国特許第８２４０７８９号明細書
【発明の概要】
【発明が解決しようとする課題】
【０００６】
特許文献１及び特許文献２の双方においては、第２のレールを伸長状態から引っ込め方向に沿って第１のレールに対して引っ込めることができるようにするために、第３のレール又は第３のレールに取り付けられる付属品を用いて第２のレールと第１のレールとの間のロック関係を解除する。しかしながら、スライドレールアセンブリの様々な適用環境又は市場の要求にとって、そのようなロック関係を解除するために第２のレールに対して第３のレールを引っ込めることが好適でない場合が時としてある。
【０００７】
本発明は、２つのレールの間のロック関係を解除するためにユーザーに操作される操作部材を含むスライドレールアセンブリに関する。
【課題を解決するための手段】
【０００８】
本発明の一実施形態によれば、スライドレールアセンブリは第１のレール、第２のレール、第３のレール、ロック機構及び操作部材を含む。第２のレールは第１のレールに対して第１の位置と第２の位置との間で可動である。第３のレールは第２のレールに対して可動である。ロック機構は第１の状態又は第２の状態になるように構成され、ロック機構が第１の状態にある場合、ロック機構は、第２のレールが第１のレールに対して第２の位置から第１の位置の方に動くのを防止するように構成されている。操作部材は、第２のレールを第１のレールに対して第２の位置から第１の位置の方に動かすことができるようにするために、ロック機構を第１の状態から第２の状態に切り替えるため手動で操作されるように構成されている。
【０００９】
ロック機構は第２のレールに可動に取り付けられるロック部材と、該ロック部材に弾性力を提供するように構成された弾性部材とを含むことが好ましい。
【００１０】
前記スライドレールアセンブリはロック部材を第２のレールに枢結するよう構成された枢動部材をさらに含み、第１のレールはブロック機構を含み、ロック部材が第１の状態にある場合、ロック部材はブロック機構をロックするように構成されていることが好ましい。
【００１１】
操作部材は第２のレールに可動に取り付けられていることが好ましい。
【００１２】
第２のレールは第１の側と、該第１の側の反対側の第２の側を有し、操作部材は第２のレールの第１の側に位置することが好ましい。
【００１３】
第２のレールは伸長孔をさらに有し、操作部材は該伸長孔を貫通するとともに第２のレールの第２の側に位置する補助機構を含み、該補助機構は、操作部材が手動で操作されることに反応してロック機構を駆動し第１の状態から第２の状態に切り替えるように構成されていることが好ましい。
【００１４】
操作部材は細長い孔を有し、前記スライドレールアセンブリは支持部材をさらに含み、該支持部材は、操作部材を第２のレールに取り付けるために細長い孔の一部を貫通することが好ましい。
【００１５】
第２のレールは当接機構を含み、前記スライドレールアセンブリは解除機構をさらに含み、該解除機構は第３のレールに配置されるリンク部材を含み、該リンク部材が第１のリンク状態にある場合、該リンク部材は前記当接機構に対応する場所に位置し、前記リンク部材が第２のリンク状態にある場合、該リンク部材は前記当接機構に対応しない場所に位置することが好ましい。
【００１６】
解除機構はリンク部材に作動的に連結される解除部材をさらに含み、リンク部材は解除部材の操作に反応して第１のリンク状態から第２のリンク状態に切り替わるように構成されていることが好ましい。
【００１７】
本発明の別の実施形態によれば、スライドレールアセンブリは第１のレール、第２のレール、第３のレール、ロック部材及び操作部材を含む。第２のレールは第１のレールに対して引っ込め位置と伸長位置との間で可動である。第３のレールは第２のレールに対して可動である。ロック部材は第２のレールに取り付けられ、該ロック部材は、第２のレールが伸長位置に位置している場合に、第２のレールが第１のレールに対して伸長位置から引っ込め位置の方に動くことができないように第１のレールの一部をロックするように構成されている。操作部材は第１のレールの前記一部をロック部材からロック解除するために手動で操作されるように構成されている。
【００１８】
本発明のさらに別の実施形態によれば、スライドレールアセンブリは保持物体をラックに取り付けるように構成されている。スライドレールアセンブリは第１のレール、第２のレール、第３のレール、ロック部材及び操作部材を含む。第１のレールは第１のブラケット及び第２のブラケットを通じてラックに取り付けられる。第２のレールは第１のレールに対して引っ込め位置と伸長位置との間で可動である。第３のレールは第２のレールに対して可動であり、保持物体が取り付けられるように構成されている。ロック部材は第２のレールに取り付けられ、該ロック部材は、第２のレールが伸長位置に位置している場合に、第２のレールが第１のレールに対して伸長位置から引っ込め位置の方に動くことができないように第１のレールの一部をロックするように構成されている。操作部材は第１のレールの前記一部をロック部材からロック解除するために手動で操作されるように構成されている。
【００１９】
様々な図面に図示する下記の好ましい実施形態の詳細な説明を読み終えた後、本発明の上記の目的及び他の目的が当業者に間違いなく明らかになる。
【図面の簡単な説明】
【００２０】
【図１】図１は、本発明の一実施形態に係る、保持物体をラックに取り付けるように構成されたスライドレールアセンブリと、スライドレールアセンブリを通じてラックの外に動かされた保持物体とを示す図である。
【図２】図２は、本発明の一実施形態に係るスライドレールアセンブリの分解図である。
【図３】図３は、本発明の一実施形態に係る、第３のレールを示す図であり、スライドレールアセンブリの第３のレールは第１のレールに対して伸長状態にある。
【図４】図４は、第１のレールの一部の詳細を示すための図３の領域Ａの拡大図である。
【図５】図５は、ロック機構のロック部材及び操作部材の部分的な機能を示すための図３の領域Ｂの拡大図である。
【図６】図６は、本発明の一実施形態に従って操作されるスライドレールアセンブリの操作部材を示す図である。
【図７】図７は、第２のレールに対して動くように操作されている図６の操作部材を示す図である。
【図８】図８は、本発明の一実施形態に係る、引っ込められた状態にあるスライドレールアセンブリを示す図である。
【図９】図９は、本発明の一実施形態に係る、第１のレールに対して伸長方向に沿って動かされたスライドレールアセンブリの第２のレール及び第３のレールを示す図であり、ロック機構のロック部材は第１のレールの一部と接触する。
【図１０】図１０は、本発明の一実施形態に係る、第１のレールに対して伸長方向に沿ってさらに動かされた第２のレール及び第３のレールを示す図であり、第２のレールを第１のレールに対して引っ込め方向に沿って引っ込めることができないようにロック機構のロック部材が第１のレールの一部をロックする。
【図１１】図１１は、第２のレールを第１のレールに対して引っ込め方向に沿って引っ込めることができるよう第１のレールの一部をロック機構のロック部材からロック解除するために力が加えられた図１０の操作部材を示す図である。
【図１２】図１２は、本発明の一実施形態に係る、スライドレールアセンブリの第３のレールが第２のレールに対して伸長方向に沿ってある位置に動かされた場合に第２のレールの当接機構と当接するリンク部材を示す図であり、作業カートは第３のレールの保持物体を搬送するよう構成されている。
【図１３】図１３は、第２のレールの当接機構に当接するリンク部材を説明するための図１２の領域Ａの拡大図である。
【図１４】図１４は、図１２のスライドレールアセンブリの第３のレールが第２のレールに対する場所に位置している場合に、リンク部材を駆動して動かし第２のレールの当接機構から解除するために力が加えられた解除部材を示す図である。
【図１５】図１５は、第２のレールの当接機構から外れたリンク部材を説明するための図１４の領域Ａの拡大図である。
【図１６】図１６は、第１のレールに対して引っ込められた図１４のスライドレールアセンブリの第２のレールと、第２のレールから取り外された第３のレールとをを示す図である。
【図１７】図１７は、本発明の一実施形態に係る、伸長状態にあるスライドレールアセンブリと、スライドレールアセンブリ及び環境バリアの間に定義された限定された空間とを示す図である。
【図１８】図１８は、第３のレールの取り外し作業を完了するために、第１のレールに対して引っ込められた第２のレールと、空間が限られた環境で第２のレールから取り外された第３のレールとを示す図である。
【発明を実施するための形態】
【００２１】
図１は、一対のスライドレールアセンブリ１２を通じてラック１４に取り付けられた保持物体１０を示す図である。保持物体１０は電気機器のシャーシ又は引き出しであり得る。ラック１４は一対の第１のポスト１６ａ及び一対の第２のポスト１６ｂを含む。具体的には、各スライドレールアセンブリ１２は第１のレール１８、第２のレール２０及び第３のレール２２を含む。第１のレール１８は、ラック１４の第１のポスト１６ａ及び第２のポスト１６ｂに取り付けられるように、それぞれ第１のブラケット２４及び第２のブラケット２６を備える２つの部分を有する。それに加えて、第３のレール２２は保持物体１０を取り付けるように構成されている。そのような構成によれば、第２のレール２０及び第３のレール２２を第１のレール１８に対して伸長状態で配置することにより、保持物体１０はラック１４の外に位置することができる。
【００２２】
図２は、スライドレールアセンブリ１２の第１のレール１８、第２のレール２０及び第３のレール２２の分解図である。本実施形態では、スライドレールアセンブリ１２はロック機構２８及び操作部材３０をさらに含む。
【００２３】
図３及び図４に示すように、第１のレール１８は前端３２ａ及び後端３２ｂを有する。第１のレール１８の前端３２ａと後端３２ｂとの間に部分３４が配置されている。部分３４はブロック機構３６を含む。ブロック機構３６は突起、凹部、孔又は溝であり得るが、本発明はこれらに限定されない。具体的には、部分３４はリベット留め、溶接、ネジ留め又は係合により第１のレール１８に取り付けられる追加の部分であり得る。あるいは、部分３４は第１のレール１８に直接且つ一体的に形成することもできる。例えば、部分３４は機械加工を通じて所定の構造又は形状を有するように第１のレール１８に形成することができる。
【００２４】
第２のレール２０は第１のレール１８に対して動かすことができる。さらに、第２のレール２０は前端３８ａと、後端３８ｂと、第１の側４０ａと、第１の側４０ａの反対側の第２の側４０ｂとを有する。第２のレール２０の第１の側４０ａは第１のレール１８の方を向き、第２のレール２０の第２の側４０ｂは第３のレール２２の方を向く。
【００２５】
図２、図３及び図５に示すように、ロック機構２８はロック部材４２を含む。ロック機構２８は弾性部材４４をさらに含むことが好ましい。第２のレール２０は取り付け孔４３を有することが好ましい。ロック部材４２は取り付け孔４３に対応する場所に位置する。具体的には、ロック部材４２は第１の部分４６及び第２の部分４８を有する。第１の部分４６は第２のレール２０の第１の側４０ａから部分的に突出している。第２の部分４８は第２のレール２０の第２の側４０ｂから部分的に突出している。本実施形態では、スライドレールアセンブリ１２は、第１の部分４６と第２の部分４８との間に配置される枢動部材５０をさらに含む。枢動部材５０はロック部材４２を第２のレール２０に枢結するように構成されている。他方、弾性部材４４はロック部材４２に弾性力を提供するように構成されている。
【００２６】
操作部材３０は第２のレール２０に可動に取り付けられている。操作部材３０は第２のレール２０の第１の側４０ａに位置するとともに第２のレール２０の長手方向に沿って配置されていることが好ましい。操作部材３０は少なくとも１つの細長い孔５２を含む。本実施形態では、操作部材３０は互いに離間された複数の細長い孔５２を含む。スライドレールアセンブリ１２は少なくとも１つの支持部材５４をさらに含む。本実施形態では、スライドレールアセンブリ１２は複数の支持部材５４をさらに含む。各支持部材５４は、操作部材３０を第２のレール２０に取り付けるために対応する細長い孔５２の一部を貫通する。細長い孔５２は長手方向に配置されている。第２のレール２０は伸長孔５６をさらに含み、伸長孔５６は長手方向に配置されていることが好ましい。操作部材３０は伸長孔５６の一部を貫通する補助機構５８を備える。補助機構５８は第２のレール２０の第２の側４０ｂに位置する。補助機構５８が操作部材３０に対して折り曲げられるとともに、補助機構５８がロック部材４２の第２の部分４８に対応する場所に位置していることが好ましい。補助機構５８は操作部材３０に直接且つ一体的に形成することができる。あるいは、本実施形態では、補助機構５８はリベット留め、溶接、ネジ留め又は係合により操作部材３０に取り付けられる追加の部分であり得る。
【００２７】
第２のレール２０は当接機構６０をさらに含むことが好ましい。当接機構６０は機械加工を通じて特定の構造又は形状を有するように第２のレール２０に形成できる。あるいは、本発明では、当接機構６０を有する追加の部分がリベット留め、溶接、ネジ留め又は係合により第２のレール２０に取り付けられている。当接機構６０は突起であってもよく、第３のレール２２の方を向いている。例えば、当接機構６０は第２のレール２０の第２の側４０ｂから横方向に突出している。
【００２８】
第３のレール２２は第２のレール２０に対して動かすことができる。さらに、スライドレールアセンブリ１２は解除機構６２をさらに含む。解除機構６２は第３のレール２２に配置されるリンク部材６４を含む。解除機構６２はリンク部材６４に作動的に連結される解除部材６６をさらに含むことが好ましい。解除部材６６は第３のレール２２の長手方向に沿って配置されている。
【００２９】
図６及び図７に示すように、操作部材３０は第２のレール２０に配置されている。ユーザーによって加えられる第１の力Ｆ１に反応して操作部材３０を第２のレール２０に対して動かすことができ、補助機構５８は操作部材３０が手動で操作されることに反応してさらに動かすことができる。
【００３０】
図８に示すように、スライドレールアセンブリ１２は引っ込められた状態にある。ロック部材４２は枢動部材５０により第２のレール２０に枢結されている。ロック部材４２の第１の部分４６はフック部４７を有し、ロック部材４２の第２の部分４８は傾斜面又は湾曲面を有する接触部４９を有する。それに加えて、弾性部材４４は弾性部４５を有する。弾性部材４４の弾性部４５はロック部材４２に弾性力を提供するように構成されている。例えば、弾性部４５は、ロック部材４２の第１の部分４６が第１のレール１８の方を向き続けるようにするために第１の部分４６に弾性力を提供する。他方、操作部材３０は第２のレール２０の第１の側４０ａに位置しており、補助機構５８は第２のレール２０の第２の側４０ｂに位置している。補助機構５８は、第２の部分４８の接触部４９に対応する位置等のロック部材４２の第２の部分４８に対応する場所に位置している。
【００３１】
図９に示すように、第２のレール２０は、伸長方向Ｄ１に沿って第１の位置Ｐ１（引っ込め位置等）から第１のレール１８に対して動かすことができ、第３のレール２２は伸長方向Ｄ１に沿って第２のレール２０に対して動かすことができる。そのため、第２のレール２０及び第３のレール２２は伸長状態になるように第１のレール１８に対して動かすことができる。第２のレール２０が第１のレール１８に対して伸長方向Ｄ１に沿って第１の位置Ｐ１から動かされると、ロック部材４２の第１の部分４６は第１のレール１８の部分３４と接触する。
【００３２】
図１０に示すように、第２のレール２０が第１のレール１８に対して伸長方向Ｄ１に沿ってさらに第２の位置Ｐ２（伸長位置等）に動かされると、ロック機構２８は第１の状態にある。例えば、ロック機構２８のロック部材４２は、弾性部材４４の弾性力に反応して第１の状態にある。具体的には、ロック部材４２の第１の部分４６のフック部４７は、弾性部材４４の弾性部４５に反応して第１のレール１８の部分３４をロックするために保持される。ロック機構２８が第１の状態にある場合、第２のレール２０が第１のレール１８に対して第２の位置Ｐ２から第１の位置Ｐ１の方に引っ込め方向に沿って移動するのをロック機構２８のロック部材４２が防止できるように、ロック部材４２の第１の部分４６は第１のレール１８の部分３４のブロック機構３６をロックするように構成されている。即ち、第２のレール２０は第１のレール１８に対して第２の位置（伸長位置等）から第１の位置（引っ込め位置）の方に動かすことができない。第２のレール２０が第１のレール１８に対して第２の位置Ｐ２に位置している場合、第２のレール２０の前端３８ａは第１のレール１８の前端３２ａを越えて伸長しており、操作部材３０の一部も第１のレール１８の前端３２ａを越えて伸長している。他方、第３のレール２２は第２のレール２０に対して伸長方向Ｄ１に沿ってさらに動かすことができる。したがって、第３のレール２２の前端は第２のレール２０の前端３８ａを越えて伸長している。そのため、スライドレールアセンブリ１２は完全な伸長状態等の伸長状態にある。
【００３３】
図１１に示すように、スライドレールアセンブリ１２が伸長状態にあり、第２のレール２０から第１のレール１８の部分３４をロック解除したいとユーザーが望む場合、ユーザーは、操作部材３０がロック機構２８を駆動して第１の状態から第２の状態に切り替わるように、操作部材３０に第１の力Ｆ１を手動で加えることができる（図６及び図７も参照のこと）。具体的には、操作部材３０は、補助機構５８を駆動してロック部材４２の第２の部分４８の接触部４９に当接させ、ロック部材４２が偏向されて第１のレール１８の部分３４が第１の部分４６からロック解除されるように、第１の力Ｆ１に反応して第２のレール２０に対して動かされる。即ち、ロック部材４２の第１の部分４６が第１のレール１８の部分３４から取り外される。換言すると、操作部材３０が手動で操作されることに反応して、補助機構５８はロック部材４２を駆動して第１の状態から第２の状態に切り替える。ロック機構２８が第２の状態にある場合、第２のレールは第１のレール１８に対して第２の位置Ｐ２から第１の位置Ｐ１の方へと引っ込め方向Ｄ２に沿って動かすことができる。
【００３４】
図１２及び図１３に示すように、解除機構６２のリンク部材６４は第３のレール２２に可動に取り付けられている（枢結等）。本実施形態では、リンク部材６４は第３のレール２２の壁６８と解除部材６６との間に位置している。リンク部材６４は第１のリンク状態にある。
【００３５】
１つの動作モードでは、第３のレール２２は保持物体１０と共に取り付けられている。第３のレール２２が第２のレール２０に対し伸長方向Ｄ１に沿って所定の伸長位置Ｐ３にさらに動かされると、第３のレール２２は第２のレール２０の前端３８ａを越えて伸長する。リンク部材６４が第１のリンク状態にある場合、リンク部材６４は当接機構６０に対応する場所に位置している。即ち、第３のレール２２が第２のレール２０に対して所定の伸長位置Ｐ３に位置している場合、第１のリンク状態にあるリンク部材６４は、第３のレール２２を第２のレール２０に対して伸長方向Ｄ１に沿ってさらに動かすことができないよう、当接機構６０に対応する場所に位置して第２のレール２０の当接機構６０に当接する。そのような状態では、ユーザーは、保持物体１０の底部７２等の保持物体１０の一部を支持するために予め保持物体１０を搬送するための作業カート７０を準備できる。
【００３６】
図１４及び図１５に示すように、ユーザーは、第２のレール２０から第３のレール２２を取り外すために解除部材６６に手動で第２の力Ｆ２を加えることができる。リンク部材６４は、ユーザーによって解除部材６６が手動で操作されたことに反応して、リンク部材６４が当接機構６０に対応しない場所に位置するように第１のリンク状態から第２のリンク状態に切り替わるよう偏向される。そのような状態では、第３のレール２２は第２のレール２０から取り外すことができる。
【００３７】
さらに、図１６に示すように、保持物体１０が作業カート７０に支持された状態で第３のレール２２を第２のレール２０から取り外すために、第２のレール２０はユーザーにより第１のレール１８に対して引っ込め方向Ｄ２に沿って引っ込めることができる（第１のレール１８に対して第２のレール２０を引っ込め方向Ｄ２に沿って引っ込める動作については図１１及び関連の説明を参照のこと。簡潔性のためにさらなる説明を省略する。）。それにより、第３のレール２２の取り外し作業が完了する。
【００３８】
図１７及び図１８に示すように、スライドレールアセンブリ１２が伸長状態（完全な伸長状態等）にある場合、スライドレールアセンブリ１２は伸長長さＬを有する。スライドレールアセンブリが伸長されて伸長長さＬを有するとともに、スライドレールアセンブリ１２と環境バリア７４との間に限られた空間Ｓ（狭い空間等）が定義されている場合、ユーザーはスライドレールアセンブリ１２又は保持物体１０にメンテナンスを施すのが難しい。例えば、環境バリア７４のブロックにより、ユーザーにとって第２のレール２０から第３のレール２２を伸長方向Ｄ１に沿って取り外すのが困難である。したがって、本発明のスライドレールアセンブリ１２の構成を通じて、ユーザーは、第２のレール２０を第１のレール１８に対して第２の位置Ｐ２から第１の位置Ｐ１の方に引っ込め方向Ｄ２に沿って動かすことができるように操作部材３０を手動で直接操作してロック機構２８のロック部材４２を駆動し第１の状態から第２の状態に切り替えることができる。そのため、限られた空間Ｓのような環境であっても、ユーザーは第３のレール２２を便利に取り外すことができる。
【００３９】
したがって、本発明のロック機構２８及び解除機構６２は、特定の環境（空間が限られた環境等）でレール（第３のレール２２等）又は保持物体１０の取り外しを促進するために、操作部材３０及び解除部材６６がユーザーによって手動で操作されるようにする。
【００４０】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００４１】
１０  保持物体
１２  スライドレールアセンブリ
１４  ラック
１６ａ  第１のポスト
１６ｂ  第２のポスト
１８  第１のレール
２０  第２のレール
２２  第３のレール
２４  第１のブラケット
２６  第２のブラケット
２８  ロック機構
３０  操作部材
３２ａ  前端
３２ｂ  後端
３４  部分
３６  ブロック機構
３８ａ  前端
３８ｂ  後端
４０ａ  第１の側
４０ｂ  第２の側
４２  ロック部材
４４  弾性部材
４６  第１の部分
４８  第２の部分
５０  枢動部材
５２  細長い孔
５４  支持部材
５６  伸長孔
５８  補助機構
６０  当接機構
６２  解除機構
６４  リンク部材
６６  解除部材
６８  壁
７０  作業カート
７２  底部
７４  環境バリア
【図１】
2018015525.tif 000003
【図２】
2018015525.tif 000004
【図３】
2018015525.tif 000005
【図４】
2018015525.tif 000006
【図５】
2018015525.tif 000007
【図６】
2018015525.tif 000008
【図７】
2018015525.tif 000009
【図８】
2018015525.tif 000010
【図９】
2018015525.tif 000011
【図１０】
2018015525.tif 000012
【図１１】
2018015525.tif 000013
【図１２】
2018015525.tif 000014
【図１３】
2018015525.tif 000015
【図１４】
2018015525.tif 000016
【図１５】
2018015525.tif 000017
【図１６】
2018015525.tif 000018
【図１７】
2018015525.tif 000019
【図１８】
2018015525.tif 000020